(57)【特許請求の範囲】
【請求項１】
ＣＳデジタル多チャンネル放送の電波を捕らえて水平偏波と垂直偏波に分波するとともに前記両偏波をそれぞれ中間周波信号に変換して水平偏波専用ケーブルと垂直偏波専用ケーブルに出力するアンテナ部と、前記水平偏波専用ケーブルを複数の水平偏波専用ケーブルに分配するための水平偏波用分配器と、前記垂直偏波専用ケーブルを複数の垂直偏波専用ケーブルに分配するための垂直偏波用分配器と、分配された前記水平偏波専用ケーブルと前記垂直偏波専用ケーブルとを２つの入力とする複数のチューナ部とからなり、
前記各チューナ部は選局チャンネルに応じて前記水平偏波専用ケーブルと前記垂直偏波専用ケーブルの２入力のうちの一方を選択する切替器と、この切替器で選択された側の入力を受けてデジタル放送情報を復号するデコーダを有し、かつ少なくとも１つの前記チューナ部はデータ放送情報を専用に復号するデータ放送専用チューナ部であることを特徴とするＣＳデジタル多チャンネル放送用受信装置。
【発明の詳細な説明】
【０００１】
【発明の属する技術分野】
この発明はＣＳデジタル多チャンネル放送用受信装置に関するものである。より具体的には、ＣＳデジタル多チャンネル放送のデータ放送情報を含んだデジタル放送情報を受信して復号するＣＳデジタル多チャンネル放送用受信装置に関するものである。
【０００２】
【従来の技術】
ＣＳデジタル多チャンネル放送（以下、ＣＳデジタル放送）は通信衛星（以下、ＣＳ）に搭載されたトランスポンダ１本で多重化されたデジタル放送情報を４〜８チャンネル分伝送できる。そのため、１つのＣＳに対し５０チャンネル以上の映像と１００チャンネル以上の音声チャンネルが放送可能となった。
【０００３】
また、このＣＳデジタル放送において、映像や音声といったＴＶまたはラジオ放送以外にも文字、図形情報やプログラムデータなど各種デジタルデータを伝送するデータ放送が実現されつつある。伝送されたデータはリアルタイムで出力して利用したり、あるいは記憶媒体などに一定量蓄積した後に適宜読み出して利用したりするなど、多種多様な利用法が見込まれ、マルチメディア時代にふさわしい画期的な放送サービスとして期待されている。
【０００４】
そして、このＣＳデジタル放送を受信するためには、専用のＣＳデジタル多チャンネル放送用受信装置（以下、受信装置）が必要である。
【０００５】
この受信装置はＣＳデジタル放送用電波をケーブル伝送用の中間周波信号（以下、ＩＦ信号）に変換するためのコンバータ（以下、ＬＮＢ）を備えたパラボラアンテナと利用者が選局したチャンネルの前記ＩＦ信号を復調してデジタル放送情報を復号するためのチューナなどから構成されている。
【０００６】
また、ＣＳデジタル放送の多数のチャンネルはＣＳの各トランスポンダの搬送周波数によって区分されている他に、水平偏波（以下、Ｈ偏波）あるいは垂直偏波（以下，Ｖ偏波）の偏波面がそれぞれ別のチャンネルに割り当てられている。しかも、隣接する搬送周波数を持つＨ偏波とＶ偏波では周波数帯域が重複しており、限られた周波数帯域を有効に利用できるようになっている。
【０００７】
しかし、このＣＳデジタル放送用電波を受信してケーブルで伝送しようとした場合、周波数帯域が重複しているＨ偏波とＶ偏波のＩＦ信号をそのまま混合して１本のケーブルで伝送することができなくなるという問題が発生してしまう。
【０００８】
そこで、従来の受信装置は利用者がチャンネルを選局すると、選局されたチャンネルの偏波面に応じて異なる信号がチューナよりパラボラアンテナのＬＮＢに送出され、ＬＮＢはこの信号を受けて受信する偏波を適宜切り替えてＩＦ信号に変換した後チューナへ伝送している。
【０００９】
【発明が解決使用とする課題】
このように、従来の受信装置はチャンネル選択するごとにそのチャンネルの偏波面に切り替えて受信している。このため、チューナを２系統持った受信装置であっても、利用したいデータ放送と視聴したいＴＶ放送が異なる偏波により放送されていると、データを一定量記憶媒体に蓄積してから利用するといった場合にはデータをすべてダウンロードするまで他の偏波で放送されているＴＶ放送などを視聴することができなくなる。また、あるチャンネルで放送されている映像にリンクしたデータ、例えば、カラオケサービスなど背景映像をＴＶ放送し、それに合わせてＭＩＤＩデータなどの楽曲データをデータ放送するといったサービス形態においては、偏波ごとにアンテナを設置する必要があり、アンテナの設置場所に大きなスペースをとられてしまうばかりかアンテナ１基分にかかるコストが増加してしまう。さらに、受信する偏波を切り替える方式には各種方式があり、使用するチューナとＬＮＢの整合性をとる必要も生じ、一般利用者にそのような専門的知識を要求するのは酷である。
【００１０】
一方、受信した放送電波をＨ偏波とＶ偏波に分波する偏分波器と、偏分波器で分波されたそれぞれの偏波ごとにＩＦ信号変換するための２つのＬＮＢを備えた１基のアンテナと、前記２つのＬＮＢからの各偏波のＩＦ信号出力が互いに干渉しないように一方あるいは両方の偏波のＩＦ信号の周波数帯域をずらして混合することができる装置、いわゆる「ブロックコンバータ」を使用して、一本のケーブルでＨ偏波のＩＦ信号とＶ偏波のＩＦ信号を伝送する方式もある。
【００１１】
しかし、この方式では高価なブロックコンバータが必要であるばかりではなく、機器の接続や設置が複雑であり、この場合も高度な専門知識が要求される。
【００１２】
本発明は、以上の問題点を解決するためになされたもので、ＣＳデジタル放送においてＴＶ放送などを視聴しているときに異なった偏波で送られてくるデータ放送情報を同時に受信するために、大きな設置スペースを必要とせず、高度な専門知識を持たなくとも誰でも簡単に設置可能な受信装置を低コストで提供することである。
【００１３】
【課題を解決するための手段】
以上の目的を達成するために、本発明では、ＣＳデジタル放送用電波を捕らえてＨ偏波とＶ偏波の２つの偏波に分波するとともに前記両偏波をそれぞれＩＦ信号に変換してＨ偏波専用ケーブルとＶ偏波専用ケーブルに出力するためのアンテナ部と、前記両専用ケーブルをそれぞれ複数の専用ケーブルに分配するための水平偏波用分配器、および垂直偏波用分配器と、分配された前記水平偏波専用ケーブルと前記垂直偏波専用ケーブルとを２つの入力とする複数のチューナ部とからなる受信装置とし、前記各チューナ部には選局チャンネルに応じて前記水平偏波専用ケーブルと前記垂直偏波専用ケーブルの２入力のうちの一方を選択する切替器と、この切替器で選択された側の入力を受けてデジタル放送情報を復号するデコーダを有している。そして、前記複数のチューナ部の少なくとも１つの前記チューナ部をデータ放送情報を専用に復号するデータ放送専用チューナ部とすることにより、視聴しているＴＶ放送と利用すべきデータ放送が異なった偏波で放送されている場合であっても同時に受信が可能となる。
【００１４】
しかも、アンテナは１基でよく、高価な装置や部品を付加することなく低コストで、一般利用者にも簡単に設置可能な受信装置を達成することができる。
【００１５】
【発明の実施の形態】
本発明における好適な実施例を以下に示す図面に添って説明する。図１は本発明による受信装置１の実施例を示した概略図であり、ＣＳ２から送出されてるＣＳデジタル放送用電波３を捕らえてＩＦ信号に変換するためのアンテナ部１０と、ＩＦ信号からデジタル放送情報を復号するためのチューナ部５０ａ、５０ｂと、それらを接続するケーブル２０、２０ａ、２０ｂ、３０、３０ａ、３０ｂ、および分配器４０ａ、４０ｂで構成されている。
【００１６】
図２はＣＳ２より送信されるＣＳデジタル放送用電波３の周波数帯を示してあり、ＣＳに搭載された１２ＧＨｚ帯搬送周波数を持つ各トランスポンダＫ−１３〜Ｋ−２８は、２７ＭＨｚの周波数帯域を有した搬送波４、５がＶ偏波とＨ偏波に割り当てられ、搬送周波数が隣接したＶ偏波とＨ偏波は互いにその周波数帯域が重複している。
【００１７】
ＴＶ放送の場合、ＭＰＥＧ２規格でエンコーディングされた映像および音声情報がトランスポンダ１本当たり、４〜５チャンネル分多重化される。そして、これらＣＳデジタル放送情報は必要によりスクランブルデータが付加され、４相位相変調（ＱＰＳＫ）によりデジタル伝送される。
【００１８】
ここで、図１および図２に従って本発明の実施例における受信装置の構成と動作を説明する。
【００１９】
アンテナ部１０はＣＳデジタル放送受信用のパラボラアンテナ１０であり、パラボラ鏡１４で捕らえられ、反射されたＣＳデジタル放送用電波３はその反射面の焦点付近に設置された偏分波器１１に導かれる。偏分波器１１はＣＳデジタル放送用電波３をＨ偏波とＶ偏波に分波し、分波されたＨ偏波はＨ偏波用ＬＮＢ１２に、Ｖ偏波はＶ偏波用ＬＮＢ１３にそれぞれ導かれる。ＬＮＢ１２および１３は１２ＧＨｚ帯のＣＳデジタル放送用電波３をケーブル伝送するために１ＭＨｚ帯のＨ偏波ＩＦ信号とＶ偏波ＩＦ信号にそれぞれ周波数変換する。
【００２０】
そして、Ｈ偏波ＩＦ信号とＶ偏波ＩＦ信号はそれぞれ専用のＨ偏波専用ケーブル２０とＶ偏波専用ケーブル３０で伝送されるのである。
【００２１】
ここで各偏波専用ケーブル２０、３０は２系統のチューナ部５０ａ、５０ｂへＩＦ信号を入力するために分配器４０ａにより２本のＨ偏波専用ケーブル２０ａと２０ｂに、分配器４０ｂにより２本のＶ偏波専用ケーブル３０ａと３０ｂにそれぞれ分配される。
【００２２】
チューナ部５０ａには分配されたＨ偏波専用ケーブル２０ａとＶ偏波専用ケーブル３０ａからＨ偏波ＩＦ信号とＶ偏波ＩＦ信号が入力される。同様にチューナ部５０ｂには分配されたＨ偏波専用ケーブル２０ｂとＶ偏波専用ケーブル３０ｂからＨ偏波ＩＦ信号とＶ偏波ＩＦ信号が入力される。
【００２３】
チューナ部５０ａ、５０ｂは主にＩＦ信号からＣＳデジタル放送情報を復号するためのデコーダ５２ａ、５２ｂと、利用者が選局したチャンネルの偏波面に応じたＩＦ信号を適宜切り替えてデコーダ５２ａ、５２ｂに入力するための同軸リレーなどの切替器５１ａ、５１ｂとからなる。
【００２４】
デコーダ５２ａ、５２ｂは利用者の選局操作を受けて同調、復調などの動作をするとともに、選局されたＣＳデジタル放送情報を復号するための動作をする。
【００２５】
デコーダ５２ａ、５２ｂは利用者の選局操作を受けて、選局されたチャンネルの偏波面を判断する。そして、切替器５１ａ、５１ｂをスイッチングさせ適宜な偏波のＩＦ信号を入力させる。
【００２６】
デコーダ部５２ａ、５２ｂは入力されたＩＦ信号から選局されたチャンネルの中間周波数に同調し、ベース信号に復調する。復調されたベース信号は多重分離、エラー訂正やスクランブルの解除などの処理が施され復号される。
【００２７】
ここで、デコーダ５２ａが復号するＣＳデジタル放送情報はＴＶ放送などの映像および音声情報がデジタル圧縮されたＭＰＥＧ２データである。復号されたデータは映像および音声信号に変換され映像・音声出力部６０ａから出力されＴＶ受像器など映像、音声再生機器に入力される。
【００２８】
一方、チューナ部５０ｂのデコーダ５２ｂが復号するデータはデータ放送情報であり、利用者が選択したデータ放送チャンネルに常時同調し、チューナ部５０ｂはデータ放送情報を専用に復号するためのデータ放送専用チューナ部５０ｂとなっている。復号されたデータ放送情報はデータ出力部６０ｂより各種情報機器に入力され、それぞれの利用形態にあわせて処理される。
【００２９】
以上により、チューナ部５０ａがＴＶ放送などを受信しているときでも、異なった偏波で伝送されるデータ放送情報をチューナ部５０ｂで受信が可能となるのである。
【００３０】
なお、チューナ部は２系統に限らない複数系統としてもよく、この場合少なくとも１つの系統のチューナ部をデータ放送情報専用チューナ部とすればよい。また、データ放送情報専用チューナ部を複数系統用意すれば、異なったチャンネルで放送されるデータ放送情報が受信可能となる。
【００３１】
さらに、本実施例においては２系統のチューナ部５０ａ、５０ｂは同一のケースに収納されているが、それぞれを独立したケースに収納することによりＴＶなどを視聴する場所とデータ放送のデータを利用する場所を別にすることもできる。
【００３２】
また、アンテナ部１０はパラボラアンテナでなくてもよく、Ｈ偏波およびＶ偏波を独立してＩＦ信号変換できればいかなる形態のものでもよい。
【００３３】
【発明の効果】
本発明によればＣＳデジタル放送においてＴＶ放送などを視聴しているときに異なった偏波で送られてくるデータ放送情報を同時に受信することができる。
【００３４】
また、アンテナ部が１つでよく大きな設置スペースを必要としない。さらに、Ｈ偏波とＶ偏波ごとにＬＮＢと専用ケーブルを使用することにより高価なブロックコンバータを使用しない廉価なシステムを構築できるばかりではなく、ケーブルとチューナを接続するだけでよいので、高度な専門知識を持たなくとも誰でも簡単に設置可能である。
【図面の簡単な説明】
【図１】本発明によるＣＳデジタル放送受信装置の実施例を示した概略図である。
【図２】ＣＳより送信されるＣＳデジタル放送用電波における周波数帯の構成図である。
【符号の説明】
１    ＣＳデジタル放送受信装置
３    ＣＳデジタル放送用電波
１０    アンテナ部
１１    偏分波器
１２、１３    ＬＮＢ
２０、２０ａ、２０ｂ    Ｈ偏波専用ケーブル
３０、３０ａ、３０ｂ    Ｖ偏波専用ケーブル
４０ａ、４０ｂ    分配器
５０ａ、５０ｂ    チューナ部
５１ａ、５１ｂ    切替器
５２ａ、５２ｂ    デコーダ
【図１】
0003709026.tif 000002
【図２】
0003709026.tif 000003